(57)【要約】【課題】簡易な構成で、送水用チューブを取り外した後の洗浄水の散逸を抑制できる構造を有する送水タンクを提供する。【解決手段】液体を貯蔵可能な送水タンクであって、上部に開口を有するタンク部と、開口を開閉可能なキャップ部と、タンク部の内側と外側とを液体を送受可能に接続し、二つの端面が液体の送受口となったチューブ状の送水管路と、送水管路の外側の端部に、送水管路を囲むように設けられた把持部と、送水管路の外周部と把持部の外周部との間に設けられた少なくとも一つの磁石と、を備える。【選択図】図５
2015033430.tif 000002
【特許請求の範囲】
【請求項１】
液体を貯蔵可能な送水タンクであって、
上部に開口を有するタンク部と、
前記開口を開閉可能なキャップ部と、
前記タンク部の内側と外側とを前記液体を送受可能に接続し、二つの端面が前記液体の送受口となったチューブ状の送水管路と、
前記送水管路の外側の端部に、前記送水管路を囲むように設けられた把持部と、
前記送水管路の外周部と前記把持部の外周部との間に設けられた少なくとも一つの磁石と、を備える
ことを特徴とする、送水タンク。
【請求項２】
前記把持部の外周面の少なくとも一部が平坦面であり、
前記少なくとも一つの磁石は、前記送水管路の外周部と前記把持部の外周部の前記平坦面との間に設けられている、
ことを特徴とする、請求項１に記載の送水タンク。
【請求項３】
前記少なくとも一つの磁石は、前記送水管路を取り囲むように設けられている、
ことを特徴とする、請求項１または請求項２に記載の送水タンク。
【請求項４】
前記少なくとも一つの磁石は円筒状である、
ことを特徴とする、請求項３に記載の送水タンク。
【請求項５】
前記少なくとも一つの磁石は、前記送水管路の軸線状に沿って配置された複数の円環状の磁石である、
ことを特徴とする、請求項３に記載の送水タンク。
【請求項６】
前記タンク部と前記キャップ部のいずれか一つの外側に設けられ、前記少なくとも一つの磁石の磁力により前記把持部を固定可能な固定部を更に備える、
ことを特徴とする、請求項１から請求項５のいずれか一項に記載の送水タンク。
【発明の詳細な説明】
【技術分野】
【０００１】
本発明は、送水タンクに関し、特に内視鏡の挿入部の先端部から洗浄水を送出するための送水装置に用いる送水タンクに関する。
【背景技術】
【０００２】
人の体腔内などを観察するための内視鏡装置として、ファイバースコープとビデオスコープの主に２種類が知られている。ファイバースコープは、内視鏡に観察窓と接眼レンズ、観察窓と接眼レンズを繋ぐイメージガイドを備えるもので、オペレータは、接眼レンズを覗くことによって、観察対象領域を観察することができる。また、ビデオスコープは内視鏡と内視鏡を接続する外部装置とを備えており、内視鏡の観察窓の内側に撮像素子を備えている。撮像素子で受光した光は電気信号に変換されて外部装置に送信され、外部装置で電気信号が映像信号に変換され、映像信号に基づいた観察画像がモニタに表示されるものである。ビデオスコープでは、オペレータは接眼レンズを覗くことなく、観察対象領域を観察することができる。
【０００３】
また、内視鏡装置には、送水タンク内に用意している洗浄水を、内視鏡の挿入部の先端部から送出可能な内視鏡装置が知られている。送水タンクには吸気口と送気送水口が設けられており、送気送水口には、同一の可撓性シース内に送気チューブと送水チューブが設けられた送気送水チューブが接続されている。吸気口を通じて外部から送水タンク内に圧縮空気を送られると、吸気された圧縮空気または送水タンク内の洗浄液が、それぞれ送水チューブまたは送気チューブを通じて内視鏡の先端部まで送られ、先端部から送出される。ここで、送気と送水のどちらを行うかは、内視鏡の操作部で制御される。送水された洗浄液は、内視鏡の観察窓の洗浄や、内視鏡による観察対象領域の洗浄のために用いられ、送気された圧縮空気は、観察窓に残留した洗浄液を除去するために用いられる。
【０００４】
ここで、ビデオスコープにおいて洗浄液を送出可能とするために、送水タンクの送水口は、外部装置を介さず、内視鏡の基部と送水用チューブによって接続されているのが一般的である。これにより、内視鏡装置の使用前後に、洗浄液の流路の洗浄および消毒処理を行いやすくなる。また、送水タンクには、チューブの先端を差し込むことによって固定する受け部が設けられている。
【０００５】
しかしながら、内視鏡装置の配置によっては、使用者の手が受け部まで届かず、チューブを受け部に固定できない可能性があった。内視鏡装置による検査の終了時や、内視鏡の交換時において、内視鏡の基部から送水用チューブを取り外す時に、チューブを受け部に固定できないと、チューブの先端から洗浄液が漏出する、あるいは、チューブの動きによって洗浄液が周囲に飛散してしまう可能性あった。このように洗浄液が周囲へ漏出または飛散すると、床が洗浄液で濡れてしまう、あるいは、洗浄液が処置中の患者の患部や目、口内にかかってしまう可能性があった。また、取り外されたチューブが固定されていないと、チューブは外力によって容易に動いてしまうため、チューブの先端が汚染された箇所に接触してしまう可能性があった。
【０００６】
チューブ先端からの水垂れを防止する送水タンクとして、特許文献１に記載の送水タンクがある。特許文献１に記載の送水タンクでは、送気チューブと送水チューブが内視鏡の基部に接続されている状態で、送水用チューブを内視鏡から取り外す時に、まず送気用チューブが内視鏡から取り外されてから、送水用チューブが取り外されるように構成されている。送気用チューブが取り外されると、送水タンク内の気圧（圧力）が雰囲気中と同じになるため、その後に送水用チューブが取り外されても、圧力の差によって送水用チューブの先端から洗浄液が送出されるのを防ぐことができる。
【先行技術文献】
【特許文献】
【０００７】
【特許文献１】特開２００４−３０５７５８号公報
【発明の概要】
【発明が解決しようとする課題】
【０００８】
特許文献１に記載の送水タンクでは、送水用チューブを取り外した時の圧力の差による洗浄液の漏出を防ぐことはできるが、取り外した送水用チューブを固定し易くするものではなかった。そのため、送水用チューブ内に残留した洗浄液が先端から水垂れしてしまうこと、および、送水用チューブの先端が汚染された箇所に接触してしまうことを防ぐことは出来なかった。
【０００９】
本発明は、上記の事情を鑑みてなされたものであり、簡易な構成で、送水用チューブを取り外した後の洗浄水の漏出および飛散を抑制できる構造を有する送水タンクを提供することを目的とする。
【課題を解決するための手段】
【００１０】
上記の目的を達成するために、本発明により、液体を貯蔵可能な送水タンクであって、上部に開口を有するタンク部と、開口を開閉可能なキャップ部と、タンク部の内側と外側とを液体を送受可能に接続し、二つの端面が液体の送受口となったチューブ状の送水管路と、送水管路の外側の端部に、送水管路を囲むように設けられた把持部と、送水管路の外周部と把持部の外周部との間に設けられた少なくとも一つの磁石と、を備えることを特徴とする、送水タンクが提供される。
【００１１】
このような構成によれば、内視鏡の基部から送水管路を取り外した後に、送水管路の端部に設けられた把持部を、磁石を吸着可能な箇所に容易に固定することができる。これにより、送水管路の送水口を上向きにして、あるいは、タンク部内の洗浄液の液面よりも高い位置に、送水管路の端部を容易に固定でき、送水管路内に洗浄液が残留していた場合に、送水管路内の洗浄液が送水口から漏出あるいは飛散してしまうことを防止することができる。また、送水管路の端部を容易に固定できるため、送水管路が外力によって動き、送水管路の先端が汚染個所に接触してしまうことを防止することができる。
【００１２】
また、把持部の外周面の少なくとも一部が平坦面であり、少なくとも一つの磁石は、送水管路の外周部と把持部の外周部の平坦面との間に設けられた構成としてもよい。
【００１３】
このような構成によれば、把持部を磁石を吸着可能な平坦な面に固定する場合に、把持部と平坦な面とが面で接触するため、把持部を安定して固定することができる。
【００１４】
また、少なくとも一つの磁石は、送水管路を取り囲むように設けられた構成としてもよい。
【００１５】
このような構成によれば、把持部の周囲全体に磁石による磁場を発生させることができるため、把持部の外周面のいずれの箇所によっても、把持部を磁石を吸着可能な箇所に固定することができる。
【００１６】
また、少なくとも一つの磁石は円筒状であってもよい。
【００１７】
また、少なくとも一つの磁石は、送水管路の軸線状に沿って配置された複数の円環状の磁石であってもよい。
【００１８】
また、タンク部とキャップ部のいずれか一つの外側に設けられ、少なくとも一つの磁石の磁力により把持部を固定可能な固定部を更に備えた構成としてもよい。
【００１９】
このような構成によれば、把持部を容易に固定部に固定することができる
【発明の効果】
【００２０】
本発明の送水タンクによれば、簡易な構成で、送水用チューブを取り外した後の洗浄水の散逸を抑制できる構造を有する送水タンクを提供することができる。
【図面の簡単な説明】
【００２１】
【図１】図１は、本発明の実施形態における送水タンクおよび送水タンクを有する内視鏡装置の外観図である。
【図２】図２は、本発明の実施形態における送水タンクと接続される内視鏡の外観図である。
【図３】図３は、本発明の実施形態における送水タンクと接続される内視鏡の基部の外観図である。
【図４】図４は、本発明の実施形態における送水タンクの概略図である。
【図５】図５は、本発明の実施形態における差込部の外観図および断面図である。
【図６】図６は、本発明の実施形態における差込部の断面図である。
【図７】図７は、本発明の実施形態における差込部の断面図である。
【発明を実施するための形態】
【００２２】
以下、図面を参照して、本発明の実施形態における送水タンクの構成について説明する。
【００２３】
本実施形態の送水タンクは、内視鏡の挿入部の先端部を洗浄するための洗浄液を貯蔵するものであり、内視鏡または内視鏡用の外部装置と接続されるのに好適に構成されている。
【００２４】
（内視鏡装置の構成）
内視鏡装置１００は、内視鏡１と外部装置２、送水タンク３を備えている。図１は、外部装置２および送水タンク３の外観図である。外部装置２は場所を移動させて使用できるように、下部に車輪を有するカート４上に配置されている。外部装置２の前面のコネクタ５には内視鏡１の基部８が着脱可能に接続され、外部装置２の側面には送水タンク３が着脱可能に固定されている。
【００２５】
図２に内視鏡１の外観図を示し、図３に内視鏡１の基部８の外観図を示す。内視鏡１は、人の体腔内に挿入可能な挿入部６と、挿入部６を操作する操作部７、外部装置２に接続するための基部８とを備える。内視鏡１の挿入部６は湾曲可能な管状であり、操作部７を操作することによって挿入部６の湾曲方向や湾曲の度合いを制御することができる。
【００２６】
内視鏡１の挿入部６の先端部には、不図示の、体腔内の観察対象領域を照明するための照明光を出射する配光窓と、観察対象領域で反射された照明光を物体光として取り込む観察窓、観察窓を洗浄するための洗浄液を送出する送水ノズル、観察窓に残留した洗浄液を除去するための圧縮空気を送出する送気ノズルを備える。観察窓の内部には、不図示の対物レンズおよび撮像素子が配置されており、観察窓で取り込まれた物体光は撮像素子上に集光される。撮像素子で受光した物体光は、電気信号に変換されて外部装置２に送信される。外部装置２で受信した電気信号は、画像信号へ変換処理され、不図示のモニタに送信される。モニタは、画像信号に基づいた観察対象領域の撮像画像を表示する。
【００２７】
内視鏡の内部には、電気信号を送信するための信号線９と、配光窓まで照明光を導波するライトガイド１０、送水ノズルに洗浄液を通すための不図示の送水チューブ、送気ノズルに圧縮空気を通すための不図示の送気チューブが設けられている。信号線９とライトガイド１０は、基部８およびコネクタ５を通じて外部装置２に接続される。また、送水チューブと送気チューブは、内視鏡１の基部８に設けられた接続部１１を通じて送水タンク３と着脱可能に接続される。
【００２８】
外部装置２は不図示のタンクホルダを備えており、送水タンク３はタンクホルダによって外部装置２に固定されている。また、外部装置２と送水タンク３は吸気チューブ１４によって接続されている。送水タンク３には洗浄液が貯蔵してあり、外部装置２から吸気チューブ１４を通じて送水タンク３内に圧縮空気が送られると、送水タンク３および内視鏡１の基部８を通して、挿入部６先端の送水ノズルまたは送気ノズルに、それぞれ洗浄液または圧縮空気が送られる。内視鏡１は、挿入部６先端から洗浄液を送出するか、または、圧縮空気を送出するかを、操作部７によって制御可能となるように構成されている。
【００２９】
（送水タンクの構成）
図４（ａ）および図４（ｂ）に、本実施形態の送水タンク３の概略図を示す。本実施形態の送水タンク３は、洗浄液３０を溜めておくためのタンク１２と、タンク１２上部に設けられた開口を塞ぐためのキャップ１３、キャップ１３に備え付けられ、タンク１２の内部と外部とを圧縮空気を送受可能に接続する吸気チューブ１４、および、可撓性を有する送気送水チューブ１５とから構成される。吸気チューブ１４は両端面が圧縮空気を送受するための送受口となっている。送気送水チューブ１５は二重構造となっており、内側に洗浄液３０を通すための送水チューブ１６、外側に圧縮空気を通すための送気チューブ１７が設けられている。送水チューブ１６と送気チューブ１７は、いずれも両端面が洗浄液または圧縮空気を送受するための送受口となっている。
【００３０】
吸気チューブ１４は、タンク１２の外側において、外部装置２に接続できるように所定の長さを有している。また、吸気チューブ１４は、タンク１２の内側において、タンク１２に規定量の洗浄液３０を入れた時に、吸気チューブ１４のタンク１２内の端部が洗浄液３０の液面に触れないように、液面よりもキャップ１３寄りの位置までの長さを有している。ここで、吸気チューブ１４は硬質性を備えていても良く、外部装置２にタンクホルダを設ける代わりに、吸気チューブ１４を外部装置２に接続することによって、送水タンク３を外部装置２に固定できるように構成されていても良い。
【００３１】
送気送水チューブ１５のタンク１２の外側の端部は、内視鏡１の基部８に着脱可能に接続するための差込部１８となっている。また、送気送水チューブ１５のうち、送気チューブ１７のタンク１２の内側の端部は、吸気チューブ１４と同様に、タンク１２に規定量の洗浄液３０を入れた時の液面よりもキャップ１３寄りの位置までの長さを有している。一方、送水チューブ１６のタンク１２の内側の端部は、洗浄液３０が消費されて残量が少なくなった場合においても洗浄液３０を送水できるように、タンク１２の下部まで伸びている。
【００３２】
また、キャップ１３またはタンク１２の外側は受け部２０を有しており、図４（ｂ）に示すように、使用者が差込部１８を受け部２０に差し込むことによって、差込部１８を固定できるように構成されている。
【００３３】
図５（ａ）は差込部１８の外観図、図５（ｂ）は差込部１８の断面図、図５（ｃ）は線Ａ−Ａ’における差込部１８の断面図である。差込部１８は複数の円形または円筒状の堅い材料（例えば、アルミニウムなどの金属）で構成され、送水チューブ１６および送気チューブ１７が外れないように、送水チューブ１６および送気チューブ１７を締め付ける、あるいは、送水チューブ１６および送気チューブ１７に噛ませるように構成されている。差込部１８内には、送水口２１および送気口２２がそれぞれ独立に設けられており、それぞれ送水チューブ１６および送気チューブ１７と、洗浄液３０または圧縮空気を送受可能に接続されている。
【００３４】
また、差込部１８は、使用者が指で把持するための把持部１９Ａを備える。把持部１９Ａは使用者が把持し易いように、送気送水チューブ１５に比べて外形が太く設定されている。ここで、把持部１９Ａの外径としては５ｍｍから２０ｍｍ程度である。また、把持部１９Ａの外表面は、把持する指が滑りにくいように滑り止めが設けられている。滑り止めは、表面に細かな凹凸形状を設けるローレット加工（ナーリング加工）や、ゴムの被膜によって形成することができるが、これらに限定されない。
【００３５】
把持部１９Ａの内側には、送水チューブ１６および送気チューブ１７を取り囲むように円筒状の永久磁石２３Ａが設けられており、差込部１８を磁石を接着可能な材質（すなわち、強磁性体）に固定できるように構成されている。なお、把持部１９Ａの外部に表われる磁界が弱まらないように、把持部１９Ａは強磁性体以外の材料（例えば、アルミニウムやオーステナイト系ステンレス鋼、樹脂などの非磁性体の材料）を用いて作製されることが望ましい。
【００３６】
差込部１８は、内視鏡１の基部８から取り外されている場合、受け部２０に固定する以外に、把持部１９Ａの内側の永久磁石２３Ａの磁力により、受け部２０以外の箇所に固定することができる。例えば、差込部１８は、外部装置２の筐体や、外部装置２を載せているカート４などのうち、強磁性を有する材質（例えば、鉄、フェライト系ステンレス鋼、マルテンサイト系ステンレス鋼など）が用いられている箇所に固定できる。また、外部装置２やカート４の付近の差込部１８が届く範囲に、強磁性を有する材質からなる固定部を置いておき、そこに差込部１８を固定できるようにしてもよい。
【００３７】
（効果）
このように、本実施形態の送水タンク３は、差込部１８を受け部２０以外の箇所に固定することができる。そのため、送水タンク３や内視鏡１の交換時や、内視鏡装置１００を用いた処置を終了する時などに、内視鏡１の基部８から差込部１８を取り外した場合、差込部１８を、受け部２０だけでなく、外部装置２やカート４に固定できる。これにより、処置を行う部屋のレイアウトの都合上、受け部２０まで使用者の手が届かない場合や、使用者が差込部１８を受け部２０に差し込みにくい位置に外部装置２が置かれている場合において、容易に差込部１８を固定することができる。また、受け部２０まで使用者の手が届く場合においても、差込部１８が完全に受け部２０に差し込まれておらず、時間経過や外力、送気送水チューブ１５の有する弾性などによって固定が解除されてしまうことを防止することができる。更に、把持部１９Ａの内側には円筒状の永久磁石２３Ａが設けられているため、把持部１９Ａの外周部全体に磁界を発生させることができ、把持部１９Ａの外周の何れの箇所によっても、外部装置２やカート４に固定することができる。
【００３８】
差込部１８は、送気送水チューブ１５を内視鏡１の基部８に接続するための構造を有しているため、送気送水チューブ１５の差込部１８以外の領域に比べて比重が大きい。そのため、もし、従来の差込部１８を受け部２０にしか固定できない送水タンク３を使用し、かつ、差込部１８を受け部２０に固定できなかった場合、差込部１８は自重によって先端が下側を向いて垂れ下がり、容易に揺れ動いてしまう。そうすると、送水チューブ１６内に残留した洗浄液３０が垂れてしまい床面を濡らしてしまう、あるいは、洗浄液３０が周囲に飛散して、患者の患部や口内、目、粘膜または周囲にある電子機器などにかかってしまうという問題が生じる。特に、送水チューブ１６内に洗浄液３０が満たされている状態で、差込部１８が送水タンク３内の洗浄液３０の液面よりも低い位置に垂れ下がると、サイフォンの原理によって、送水チューブ１５に残留した洗浄液３０だけでなく、タンク１２内の洗浄液３０も漏出あるいは飛散してしまう可能性がある。
【００３９】
しかしながら、本実施形態の送水タンク３では、差込部１８を容易に受け部２０以外の箇所に固定できるため、上記のような洗浄液３０によって床面を濡らしてしまう、あるいは、洗浄液３０を患者や電子機器に飛散させてしまうことを防止することができる。
【００４０】
また、本実施形態の送水タンク３では、表面に滑り止めが設けられた把持部１９Ａの内側に永久磁石２３Ａが設けられている。そのため、差込部１８を磁力によって平坦な面に固定している時に、差込部１８に対して外力が加わっても、把持部１９Ａの滑り止めと固定している面との間の摩擦によって、差込部１８が面上で移動しにくくすることができる。これにより、差込部１８を、送水口２１を上に向けた状態で固定している時に、差込部１９または送気送水チューブ１５に意図しない外力が加わることによって差込部１８が固定している面上で回転して送水口２１が下側を向くのを抑制し、送水チューブ１６内に残留している洗浄液３０が床面に漏出することを防止できる。
【００４１】
また、本実施形態の送水タンク３では、永久磁石２３Ａは把持部１９によって覆われているため、永久磁石２３Ａに意図しない衝撃が加わり、永久磁石２３Ａが破損するのを防止することができる。
【００４２】
（変形例）
なお、本実施形態の送水タンク３は、把持部１９Ａの内側に永久磁石２３Ａを設けることにより、受け部２０以外の箇所に差込部１８を固定することを特徴とするが、本発明はこの構成に限定されない。例えば、送水タンク３の受け部２０が磁石に吸着される材質によって構成され、差込部１８が受け部２０に容易に固定可能となるように構成されていてもよい。
【００４３】
また、送気送水チューブ１５に、少なくとも差込部１８がタンク１２内の洗浄液３０の液面よりも低い位置に垂れ下がらないように、剛性を持たせてもよい。これにより、外部装置２の筐体やカート４などに磁石が吸着する材料が使用されていない場合に、少なくともサイフォンの原理によってタンク１２内の洗浄液が漏出あるいは飛散してしまうことを防止できる。
【００４４】
図５（ｃ）に示す差込部１８の把持部１９Ａの断面形状は円形であるが、本発明はこの構成に限定されない。例えば、図６に示すように、差込部１８の把持部１９Ｂの外周の形状の一部または全体が多角形状であってもよい。これにより、外部装置２やカート４の平坦な箇所に差込部１８を固定する際に、把持部１９Ｂと固定する箇所とが面で接するため、差込部１８を安定して固定できる。
【００４５】
また、図５に示した差込部１８は、円筒状の永久磁石２３Ａを有しているが、本発明はこれに限定されない。例えば、図７に示すように、差込部１８の把持部１９Ｃの外周の形状の一部に平坦面（Ｄカット）を設け、平坦面の内側に直方体状の永久磁石２３Ｃを設けてもよい。これにより、外部装置２やカート４の平坦な箇所に差込部１８を固定する際に、把持部１９Ｃと固定する箇所とが面で接するため、差込部１８を安定して固定できる。また、円筒状の永久磁石２３Ｃを用いる場合に比べて、Ｄカットされた面での磁力を強くすることができ、より安定して差込部１８を固定できる。
【００４６】
その他の永久磁石２３Ａの形状としては、把持部１９Ａの内側に、円筒状の永久磁石２３Ａを１つ設ける代わりに、細い円環状の永久磁石を差込部１８（送気送水チューブ１５）の軸線方向に複数個配置してもよい、あるいは、差込部１８の中心の周りに複数個配置してもよい。これにより、１つの大きな永久磁石２３Ａを設けた場合に比べて、磁力を低下させることなく、永久磁石の配置の仕方を、差込部１８の構造に合わせて変更することができ、差込部１８を作成しやすくすることができる。
【００４７】
また、差込部１８は、把持部１９Ａの内側の永久磁石２３Ａによって平坦な面上に固定されている時に、差込部１８の送水口２１または送気口２２が設けられている面の外縁部が、差込部１８を固定している面に接触しないように構成されていることが望ましい。これにより、差込部１８を固定する面に雑菌や汚れなどが付着していた場合に、これらが送水口２１または送気口２２に付着し、内視鏡１内の送水チューブまたは送気チューブを通じて体腔内に送出されるのを防止することができる。
【００４８】
また、本発明における永久磁石２３Ａ、２３Ｂ、２３Ｃとして、アルニコ磁石、フェライト磁石、ネオジム磁石などが用いられるが、これらに限定されない。
【００４９】
以上が本発明の実施形態の説明である。本発明は、上記の構成に限定されるものではなく、本発明の技術的思想の範囲において様々な変形が可能である。
【符号の説明】
【００５０】
１    内視鏡
２    外部装置
３    送水タンク
４    カート
５    コネクタ
６    挿入部
７    操作部
８    基部
９    信号線
１０    ライトガイド
１１    接続部
１２    タンク
１３    キャップ
１４    吸気チューブ
１５    送気送水チューブ
１６    送水チューブ
１７    送気チューブ
１８    差込部
１９Ａ、１９Ｂ、１９Ｃ    把持部
２０    受け部
２１    送水口
２２    送気口
２３Ａ、２３Ｂ、２３Ｃ    永久磁石
３０    洗浄液
１００    内視鏡装置
【図１】
2015033430.tif 000003
【図２】
2015033430.tif 000004
【図３】
2015033430.tif 000005
【図４】
2015033430.tif 000006
【図５】
2015033430.tif 000007
【図６】
2015033430.tif 000008
【図７】
2015033430.tif 000009